(57)【要約】【課題】植木鉢内に確実に保持されて安定した支柱を立設し、この支柱にリングを装着し、園芸植物の倒伏を適確に防止する。【要約】植木鉢の底部内径に嵌着するようにしたベースリング３があり、該ベースリング上の互に対向する位置に、略逆Ｕ字形の両脚下端が固定されて立設され、直立する芯棒１は略逆Ｕ字形の脚２の頂点２ａで湾曲し、両脚下端の中間でベースリングに前記芯棒下端が固定されているとともに、前記芯棒には着脱可能に１又は複数のリングが装着されていることを特徴とする植木鉢用植物支柱である。【選択図】図１
0003102550.tif 000002
【実用新案登録請求の範囲】
【請求項１】
植木鉢の底部内径に嵌着するようにしたベースリングを有し、該ベースリング上に芯棒と、芯棒を支える脚が立設されていることを特徴とする植木鉢用植物支柱。
【請求項２】
前記芯棒を支える脚の下端がベースリングの内側に内接させて立設されていることを特徴とする請求項１記載の植木鉢用植物支柱。
【請求項３】
前記ベースリング上の互に対向する位置に、略逆Ｕ字形の両脚下端が固定されて立設され、芯棒は、略逆Ｕ字状の脚の頂点で湾曲させて支持されると共に前記、両脚下端の中間位置でベースリングに芯棒下端が固定されていることを特徴とする請求項１又は２記載の植木鉢用植物支柱。
【請求項４】
前記略逆Ｕ字形の両脚がベースリング上で１８０°開いていることを特徴とする請求項１乃至３のいずれか１項記載の植木鉢用植物支柱。
【請求項５】
前記芯棒には、着脱可能に１又は複数のリングが装着されていることを特徴とする請求項１乃至４のいずれか１項記載の植木鉢用植物支柱。
【請求項６】
前記芯棒は、略逆Ｕ字形の脚の頂点の部分で上下に分解できるようにして構成されていることを特徴とする請求項１乃至５のいずれか１項記載の植木鉢用植物支柱。
【請求項７】
芯棒の湾曲した下部と、略逆Ｕ字形の両脚からなる部分は、下方部拡がりのテーパーをつけて、積み重ね可能に形成されていることを特徴とする請求項１乃至６のいずれか１項記載の植木鉢用植物支柱。
【考案の詳細な説明】
【技術分野】
【０００１】
本考案は、植木鉢で栽培する植物の倒伏を防止して整然と成長させるための植物支柱に関する。
【背景技術】
【０００２】
植木鉢で栽培する植物の倒伏を防止するために鉢内の土に支柱を立て、植物を支持することが行われているが、支柱を単に土に差し込んだだけであると、植物が成長するにつれ支柱が不安定になり倒れやすくなる。又、植えた植物の横に支柱を差し込むと根を傷めやすい。
【０００３】
蔓性植物の栽培棚として、地面に杭を打ち込み、上下方向に貫通孔を有するコンクリート支柱をその杭に挿入する方法が開示されているが、この方法は植木鉢には適用し難い。（例えば、特許文献１参照。）
【０００４】
また、植物支持リングについては、いくつかの考案が開示されているが、リングを取り付ける支柱をどのように設置するかは記されていない。（例えば、特許文献２及び３参照。）
【特許文献１】特開２００２−３４３６０号公報
【特許文献２】実開昭５８−１６１４６２号公報
【特許文献３】実開平３−３７８４３号公報
【考案の開示】
【考案が解決しようとする課題】
【０００５】
本考案は、上記の問題を解決するためになされたものであり、植木鉢内に支柱を立設したとき、支柱が安定して支持されるとともに、植木鉢内に土や植物の根を収用する際、支柱が障害とならないようにすることである。
【課題を解決するための手段】
【０００６】
本考案の主要な特徴は以下のとおりである。
（１）植木鉢の底部内径に嵌着するようにしたベースリングを有し、該ベースリング上に芯棒と芯棒を支える脚が立設されていることを特徴とする植木鉢用植物支柱である。
（２）前記芯棒を支える脚の下端がベースリングの内側に内接させて立設されていることを特徴とする請求項１記載の植木鉢用植物支柱である。ベースリングが植木鉢底に嵌着し易くするためである。
（３）前記ベースリング上の互に対向する位置に、略逆Ｕ字形の両脚下端が固定されて立設され、直立する芯棒は、略逆Ｕ字状の脚の頂点で湾曲させて支持されると共に前記、両脚下端の中間でベースリングに前記芯棒下端が固定されていることを特徴とする前項（１）又は（２）記載の植木鉢用植物支柱である。
（４）前記略逆Ｕ字形の両脚がベースリング上で１８０°開いていることを特徴とする前項（１）乃至（３）のいずれか１項記載の植木鉢用植物支柱である。
（５）前記芯棒には、着脱可能に１又は複数のリングが装着されていることを特徴とする前項（１）乃至（４）のいずれか１項記載の植木鉢用植物支柱である。
（６）前記芯棒は、略逆Ｕ字形の脚の頂点の部分で上下に分解できるようにして構成されていることを特徴とする前項（１）乃至（５）のいずれか１項記載の植木鉢用植物支柱である。
（７）芯棒の湾曲した下部と、略逆Ｕ字形の両脚からなる部分は下方部拡がりのテーパーをつけて、積み重ね可能に形成されていることを特徴とする前項（１）乃至（６）のいずれか１項記載の植木鉢用植物支柱である。
【考案の効果】
【０００７】
本考案は、以上のように構成されているため次のような効果が期待できる。
（１）芯棒の基部は、植木鉢の底部内径に合わせて嵌着するようにしたベースリングに固定されているため、土を植木鉢に入れることで植木鉢内に安定した支柱を立てることができ、鉢内に植栽する植物の倒伏を適確に防止できる。
（２）ベースリング上の互いに対向する位置に略逆Ｕ字形の両脚が立設されるため。脚の開きが略１８０°と広くなるため、支柱を植木鉢に設置した後、鉢内に植物の根及び土を入れ易く、鉢植え作業が容易且つ迅速に行える。植木鉢に設置した後に植物の根や土を入れるので根を傷めることはない。
（３）栽培する植物の特性に応じてリングの数を調節し、その植物を最適の状態で整然と成長させて栽培できる。
（４）芯棒に装着するリングと、芯棒の上部、芯棒の下部及び脚、ベースリングからなる部分とが個々に分離できるため、保管、運搬に便利である。
（５）芯棒の湾曲した下部と略逆Ｕ字形の両脚からなる部分は、下方部拡がりのテーパーをつけて形成され、互に積み重ねられるよう形成されていることから、コンパクトに積み重ねられ、保管、運搬上の容積が少なくて済む。
【考案を実施するための最良の形態】
【０００８】
本考案の植木鉢用支柱は通常溶接可能な鉄などの金属棒を加工して製作される。鉄筋などの異形棒鋼を用いると蔓状植物が巻きついたとき滑り難いという利点がある。金属棒としてはほかにアルミニウムを用いることもでき、プラスチックで製作してもよい。
【実施例１】
【０００９】
本考案の実施例を図に基づいて説明する。図１は、本考案の実施例を示す斜視図である。ベースリング３は、植木鉢の底部内径に嵌着できるよう形成されており、略逆Ｕ字形の両脚下端２ｂ，２ｂはベースリング３上の互に対向する位置にベースリング３の内側に当てて固定されている。ベースリング３の中心上に直立する芯棒１は脚２の頂点２ａで湾曲させて支持されると共に、前記両脚下端２ｂと２ｂの中間位置で芯棒下端１ａがベースリング３に固定されている。
【００１０】
リング４は、外側のリングと取付ボス４ｂとを十字状にクロスさせたアーム４ａにより連結されて一体となっている。また、リング４は、蝶ネジ５で芯棒１に着脱可能に装着されている。また芯棒下端１ａ、両脚下端２ｂ，２ｂはそれぞれベースリング３にして内接するようにして固定されている。
【００１１】
図２は、芯棒１と脚２の部分側面図であり、図２（Ａ）は芯棒１が一体となっているもので、図２（Ｂ）は、芯棒１が脚の頂点２ａのところでジョイント６を介して上下に分離できるようになっていて、芯棒１の上部と下部はボルト６ａを締めることで連結されている。
【００１２】
図３、図４、図５、図６は芯棒１に装着するリング４の種々の形態を示した斜視図である。図３は、リングが一重のもので、取付ボス４ｂの中心に芯棒差込み穴４ｃがあり、その側面にネジ穴５ａが設けられている。図４は内側のリング４ｂが追加されており全体が二重のリングになっている。図５は内側のリング４ｂが更に追加され、全体で三重のリングとなっている。図６は、芯棒１の上端に装着するリング４を示した斜視図で、芯棒差込み穴４ｃは上端が盲になっていて雨水等が入り込まないようになっている。
【実施例２】
【００１３】
図７は、植物支持例を示す側断面図である。植木鉢Ａの鉢底内径Ｂに嵌着するようにしたベースリング３があり、脚２の両脚下端はベースリング３の内側に内接させてベースリング内径とほぼ同じ大きさに開くようにしてあるため、植物支柱を植木鉢Ａに嵌着した後、植物の根及び土が入れやすく、且つ入れた土と植木鉢底でしっかり保持されて安定した支持が得られる。蔓状植物Ｃは芯棒１及びリング４に巻きついて支持されている。
【実施例３】
【００１４】
図８は、複数のリングを互にワイヤー７で連結し、蔓性植物Ｃをワイヤー７に巻きつかせた状態を示す側断面図である。
【産業上の利用可能性】
【００１５】
本考案の植木鉢用植物支柱を用いることで、植木鉢を用いて蔓性植物や、その他倒伏しやすい植物を栽培するとき、確実に倒伏を防止し順調に安定した状態で整然とこれらの植物を育成できる効果が期待できる。
【図面の簡単な説明】
【００１６】
【図１】本考案の実施例を示す斜視図である。
【図２】芯棒と脚の部分側面図で、（Ａ）は芯棒一体型、（Ｂ）は芯棒分離型の部分側面図である。
【図３】単一リングの斜視図である。
【図４】二重リングの斜視図である。
【図５】三重リングの斜視図である。
【図６】芯棒上端のリングの斜視図である。
【図７】植物支持例を示す側断面図である。
【図８】リング間にワイヤーを張った場合の植物支持例を示す側断面図である。
【符号の説明】
【００１７】
１  芯棒
１ａ  芯棒下端
２  脚
２ａ  脚頂部
２ｂ  脚下端
３  ベースリング
４  リング
４ａ  アーム
４ｂ  取付ボス
４ｃ  芯棒差込み穴
５  蝶ネジ
５ａ  ネジ穴
６  ジョイント
６ａ  ボルト
７  ワイヤー
Ａ  植木鉢
Ｂ  鉢底内径
Ｃ  植物
【図１】
0003102550.tif 000003
【図２】
0003102550.tif 000004
【図３】
0003102550.tif 000005
【図４】
0003102550.tif 000006
【図５】
0003102550.tif 000007
【図６】
0003102550.tif 000008
【図７】
0003102550.tif 000009
【図８】
0003102550.tif 000010